(57)【要約】【課題】  非接触型ＩＣカード機能とＨＤＤを搭載している携帯端末がカードリーダへ接触する際の衝撃から、ＨＤＤを有効に保護する。【解決手段】  携帯電話端末１はＨＤＤと非接触型ＩＣカード機能を搭載している。非接触ＩＣカード機能には動作電力が供給されており、カードリーダ１０からの微弱な信号電波を検知可能となされている。携帯電話端末１は、非接触型ＩＣカード機能がカードリーダ１０からの微弱な信号電波を検知すると、内蔵ＨＤＤの磁気ヘッドを退避させて非動作状態に制御する。【選択図】  図１
2008090581.tif 000002
【特許請求の範囲】
【請求項１】
ハードディスクドライブと非接触型ＩＣカード機能を搭載している携帯端末において、
上記非接触型ＩＣカード機能に対して動作電力を供給する電源管理部と、
非接触型ＩＣカードの専用読み取り装置からの信号電波を上記非接触型ＩＣカード機能が検知した時、上記ハードディスクドライブのヘッドを退避させて非動作状態に制御する制御部とを有する、
ことを特徴とする携帯端末。
【請求項２】
上記制御部は、上記非接触型ＩＣカード機能が検知した信号電波の搬送周波数に基づいて、上記非接触型ＩＣカード機能が検知した信号電波が上記専用の読み取り装置からの信号電波であるかどうかの判定を行うことを特徴とする請求項１記載の携帯端末。
【請求項３】
上記制御部は、上記非接触型ＩＣカード機能が検知した信号電波の信号変調方式に基づいて、上記非接触型ＩＣカード機能が検知した信号電波が上記専用の読み取り装置からの信号電波であるかどうかの判定を行うことを特徴とする請求項１記載の携帯端末。
【請求項４】
上記制御部は、上記ハードディスクドライブを上記非動作状態にする制御を行った後、上記非接触型ＩＣカード機能が上記専用読み取り装置からの信号電波を検知できなくなった時に、上記ハードディスクドライブを動作状態に制御することを特徴とする請求項１記載の携帯端末。
【請求項５】
上記電源管理部は、ハードディスクドライブが非動作状態であるときには、上記非接触型ＩＣカードに対する電力供給を停止することを特徴とする請求項１記載の携帯端末。
【請求項６】
自端末の空間内の移動に応じた加速度を計測する加速度計測部を有し、
上記制御部は、上記加速度計測部からの加速度計測データに基づいて、自端末が非接触型ＩＣカードの専用読み取り装置へ近づく際の特徴的な加速度変化のパターンを検知した時に、上記ハードディスクドライブのヘッドを退避させて非動作状態に制御することを特徴とする請求項１記載の携帯端末。
【請求項７】
ハードディスクドライブと非接触型ＩＣカード機能を搭載している携帯端末において、
自端末の空間内の移動に応じた加速度を計測する加速度計測部と、
上記加速度計測部からの加速度計測データに基づいて、自端末が非接触型ＩＣカードの専用読み取り装置へ近づく際の特徴的な加速度変化のパターンを検知した時に、上記ハードディスクドライブのヘッドを退避させて非動作状態に制御する制御部とを有する、
ことを特徴とする携帯端末。
【請求項８】
ハードディスクドライブと非接触型ＩＣカード機能を搭載している携帯端末のハードディスクドライブ保護方法において、
上記非接触型ＩＣカード機能に対して電源管理部が動作電力を供給するステップと、
非接触型ＩＣカードの専用読み取り装置からの信号電波を上記非接触型ＩＣカード機能が検知するステップと、
非接触型ＩＣカードの専用読み取り装置からの信号電波を上記非接触型ＩＣカード機能が検知した時、制御部が上記ハードディスクドライブのヘッドを退避させて非動作状態に制御するステップとを有する、
ことを特徴とする携帯端末のハードディスクドライブ保護方法。
【請求項９】
ハードディスクドライブと非接触型ＩＣカード機能を搭載している携帯端末のハードディスクドライブ保護方法において、
加速度計測部が、自端末の空間内の移動に応じた加速度を計測するステップと、
上記加速度計測部からの加速度計測データに基づいて、自端末が非接触型ＩＣカードの専用読み取り装置へ近づく際の特徴的な加速度変化のパターンを制御部が検知した時、上記ハードディスクドライブのヘッドを退避させて非動作状態に制御するステップとを有する、
ことを特徴とする携帯端末のハードディスクドライブ保護方法。
【発明の詳細な説明】
【技術分野】
【０００１】
本発明は、ハードディスクドライブ（ＨＤＤ）と非接触型ＩＣカード機能を搭載している携帯電話端末などの携帯端末と、その携帯端末に搭載されているＨＤＤの保護方法に関する。
【背景技術】
【０００２】
近年は、携帯電話端末や携帯型音楽プレーヤー、ＰＤＡ（PDA：Personal Digital Assistants）等の様々な携帯端末において、例えば音楽データやビデオデータ、ＰＣ（パーソナルコンピュータ）系データ等の多数のデータを記憶させて持ち運ぶことへの要求が高まっており、その端末の内蔵メモリに必要とされる容量も増加の一途を辿っている。このため、端末の情報記憶媒体として、半導体メモリの他にＨＤＤを採用する例も散見されるようになってきている。
【０００３】
ここで、現在のところ、ＨＤＤは、容量当たりの価格が半導体メモリよりも安価であり、また半導体メモリに比べて大容量化に適しているが、多くのメカニカル部品を備えているために、例えば衝撃等に対しては半導体メモリに比べて弱いという欠点を有している。詳細な構造の図示等については省略するが、ＨＤＤは、動作時にはプラッターと呼ばれる磁気記録回転媒体を高速回転させると共に、そのプラッターの表面から非常に僅かな間隔を空けて磁気ヘッドを浮上させた状態で磁気データの読み書きを行うようになされているため、例えば過度な衝撃が加わったような場合には、磁気ヘッドがプラッターに接触してしまい双方が破壊されてしまうことがある。なお、非動作時のＨＤＤは、通常、磁気ヘッドがプラッターに接触しないような位置に保持されるので、動作時に比べて耐衝撃性が高くなっている。ちなみに、１インチコンパクトフラッシュ（登録商標）サイズの小型ＨＤＤの場合、その衝撃耐性は、機器やメーカーによっても異なるが、一例として非動作時で２０００Ｇ（Ｇは重力加速度）／２ｍｓ、動作時で２００Ｇ／２ｍｓ、振動に対しては動作時で数Ｇとなっている。つまり、この例の小型ＨＤＤの場合、短時間の衝撃に対しては、非動作時と動作時とで、その衝撃耐性が約１０倍も異なっている。
【０００４】
これらのことから、ＨＤＤを携帯端末に搭載する場合には、ショックや振動から保護するために、当該ＨＤＤを衝撃吸収材料等により包んだ状態で端末内部に実装することが広く行われている。しかしながら、端末内部に実装されたＨＤＤを衝撃から十分に保護しようとした場合、上記衝撃吸収材料の厚さを数ｍｍ以上にもしなければならなくなることがあり、小型化が要求される携帯端末にそのような厚みの衝撃吸収材料を採用することは難しい。このため、実際には十分な厚みの衝撃吸収材料を用いることができず、衝撃耐性の低い薄めの保護材料を使わざるを得ないことが殆どであり、その結果、現状の携帯端末ではＨＤＤの衝撃に対する保護が不充分な状態になってしまっている。
【０００５】
また、携帯端末は、持ち運ぶことを前提とした機器であるため、例えば誤って落下させてしまうことも多い。このような場合に備えて、ＨＤＤ搭載の携帯端末に自由落下検出アルゴリズムを採用し、そのアルゴリズムが機器の自由落下による重力加速度ゼロ（０Ｇ：Ｇは重力加速度）を検出した時に、ＨＤＤの磁気ヘッドを退避させて非動作状態にすることで落下時の衝撃に備えるような対策を施すことも検討されている。すなわちこの対策例の場合、ＨＤＤの耐衝撃性が非動作時と動作時とで大きく異なることを利用し、機器の自由落下を検出した時にＨＤＤを非動作状態にすることにより、落下時の衝撃に備えるようにしている。
【０００６】
その他、特開２００６−１５５７７０号の公開特許公報（特許文献１）には、例えば非接触型ＩＣモジュールとＨＤＤとを内蔵した携帯電子機器において、磁気を検出する磁気検出部と、ＨＤＤの磁気ヘッドが磁気記録媒体上に位置している状態で上記磁気検出部が磁気を検出した場合にＨＤＤの磁気ヘッドを磁気記録媒体上から退避位置へ退避させるように制御することにより、ＨＤＤを衝撃から保護可能とする技術が開示されている。
【０００７】
【特許文献１】特開２００６−１５５７７０号公報（図４）
【発明の開示】
【発明が解決しようとする課題】
【０００８】
ところで、近年の携帯電話端末等の携帯端末は、例えばいわゆる電子財布や電車等の乗車券・定期券、入室時の本人認証等に使用可能なＲＦＩＤ（Radio Frequency-Identification：電波方式認識）非接触型ＩＣカード機能を搭載したものも増えてきている。すなわち当該非接触型ＩＣカード機能を搭載した携帯端末は、専用の読み取り装置（非接触型ＩＣカードリーダ、以下、単にカードリーダと表記する。）に近づけられた時に、上記非接触型ＩＣカード機能と上記カードリーダとの間で、例えば電子決済による料金の支払いや駅への入出場及び運賃精算、入室時の本人認証等のための様々な情報の通信を行うようになされている。
【０００９】
このように、携帯端末の非接触型ＩＣカード機能と上記専用のカードリーダとは、互いに接触していない状態（つまり非接触）であっても情報通信を行えるが、実際の利用場面では、携帯端末をカードリーダにぶつけるように接触させるようなことが屡々行われている。
【００１０】
ここで、上記非接触型ＩＣカード機能が搭載された携帯端末にＨＤＤを内蔵させた場合、例えばＨＤＤが動作している時に、上述のようにカードリーダへ携帯端末をぶつけるように接触させるようなことが行われてしまうと、その接触時に発生する衝撃によってＨＤＤが破損してしまう虞がある。
【００１１】
また、上記カードリーダへ携帯端末を接触させるような利用場面での衝撃によるＨＤＤの破損については、例えば前述した自由落下による重力加速度ゼロ（０Ｇ）を検知して磁気ヘッドを退避させるようなＨＤＤ保護の手法では防ぐことができない。すなわち、上記専用のカードリーダへ接触させる際の当該携帯端末の動き（空間内を携帯端末が移動する際の動き）は、上記自然落下時の動きとは明らかに異なるため、上記重力加速度ゼロ検知によるＨＤＤ保護手法ではＨＤＤの磁気ヘッドを退避させる制御を行うことができない。勿論、十分な厚みの衝撃吸収材料によりＨＤＤを保護することも考えられるが、前述したように、携帯電話端末等の小型の携帯端末には上記十分な厚みの衝撃吸収材料を用いることが難しい。
【００１２】
さらに、上記特許文献１に記載の技術のように、カードリーダからの磁気を検知して、ＨＤＤの磁気ヘッドを退避させるような技術の場合、例えば磁石や電子機器などから発生する磁気を誤って検知してしまう虞があり、誤動作が頻繁に発生してしまう可能性がある。また、カードリーダにて使用される電力等を考えると、当該カードリーダからの磁界の大きさは非常に小さいと考えられ、したがって、携帯電子機器側で当該カードリーダからの磁気を検出して直ぐにＨＤＤの動作を停止させるような動作を開始したとしても、実際に携帯電子機器がカードリーダに接触するまでの時間内に、ＨＤＤの動作を完全に停止させることができない可能性が高く、ＨＤＤを保護できない虞がある。
【００１３】
本発明は、このような実情に鑑みて提案されたものであり、非接触型ＩＣカード機能とＨＤＤを搭載している携帯端末が非接触型ＩＣカード専用の読み取り装置（カードリーダ）へ接触する際の衝撃からＨＤＤを有効に保護することが可能な携帯端末、及び携帯端末のハードディスクドライブ保護方法を提供することも目的とする。
【課題を解決するための手段】
【００１４】
本発明の携帯端末は、ハードディスクドライブと非接触型ＩＣカード機能を搭載している携帯端末であり、非接触型ＩＣカード機能に対して動作電力を供給する電源管理部と、非接触型ＩＣカードの専用読み取り装置からの信号電波を非接触型ＩＣカード機能が検知した時、ハードディスクドライブのヘッドを退避させて非動作状態に制御する制御部とを有することにより、上述した課題を解決する。
【００１５】
また、本発明の携帯端末は、ハードディスクドライブと非接触型ＩＣカード機能を搭載している携帯端末であり、自端末の空間内の移動に応じた加速度を計測する加速度計測部と、加速度計測部からの加速度計測データに基づいて、自端末が非接触型ＩＣカードの専用読み取り装置へ近づく際の特徴的な加速度変化のパターンを検知した時に、ハードディスクドライブのヘッドを退避させて非動作状態に制御する制御部とを有することにより、上述した課題を解決する。
【００１６】
また、本発明のハードディスクドライブ保護方法は、ハードディスクドライブと非接触型ＩＣカード機能を搭載している携帯端末のハードディスクドライブ保護方法であり、非接触型ＩＣカード機能に対して動作電力を供給するステップと、非接触型ＩＣカードの専用読み取り装置からの信号電波を非接触型ＩＣカード機能が検知するステップと、非接触型ＩＣカードの専用読み取り装置からの信号電波を非接触型ＩＣカード機能が検知した時、ハードディスクドライブのヘッドを退避させて非動作状態に制御するステップとを有することにより、上述した課題を解決する。
【００１７】
また、本発明のハードディスクドライブ保護方法は、ハードディスクドライブと非接触型ＩＣカード機能を搭載している携帯端末のハードディスクドライブ保護方法であり、自端末の空間内の移動に応じた加速度を計測するステップと、その加速度計測データに基づいて、自端末が非接触型ＩＣカードの専用読み取り装置へ近づく際の特徴的な加速度変化のパターンを検知した時、ハードディスクドライブのヘッドを退避させて非動作状態に制御するステップとを有することにより、上述した課題を解決する。
【００１８】
すなわち、非接触型ＩＣカードの専用読み取り装置からの信号電波は磁気よりも遙かに遠くに到達し、本発明によれば、その信号電波を非接触型ＩＣカード機能が検知した時に、ハードディスクドライブのヘッドを退避させるようにしている。
【００１９】
また、自端末が非接触型ＩＣカードの専用読み取り装置へ近づく際の加速度変化のパターンは、自由落下や歩行、車や電車の乗車時とはその加速度変化のパターンが異なり、本発明によれば、その特徴的な加速度変化パターンを検知した時に、ハードディスクドライブのヘッドを退避させるようにしている。
【発明の効果】
【００２０】
本発明においては、非接触型ＩＣカードの専用読み取り装置からの信号電波を非接触型ＩＣカード機能が検知した時に、ハードディスクドライブのヘッドを退避させるようにしているため、携帯端末が専用の読み取り装置へ接触する際の衝撃からハードディスクドライブを有効に保護することが可能である。
【００２１】
また、本発明においては、自端末が非接触型ＩＣカードの専用読み取り装置へ近づく際の特徴的な加速度変化のパターンを検知した時に、ハードディスクドライブのヘッドを退避させるようにしているため、携帯端末が専用の読み取り装置へ接触する際の衝撃からハードディスクドライブを有効に保護することが可能である。
【発明を実施するための最良の形態】
【００２２】
以下、図面を参照しながら、本発明の携帯端末の一実施形態について説明する。
【００２３】
なお、本実施形態では、本発明の適用例としてＨＤＤと非接触型ＩＣカード機能を備えた携帯電話端末を挙げているが、勿論、ここで説明する内容はあくまで一例であり、本発明はこの例に限定されないことは言うまでもない。
【００２４】
〔カードリーダとの接触時の衝撃に対するＨＤＤ保護の第１の実施形態〕
先ず、本発明の第１の実施形態から説明する。
【００２５】
本発明の第１の実施形態の携帯電話端末は、ＨＤＤと非接触型ＩＣカード機能を搭載している端末であり、上記非接触型ＩＣカード機能により電子決済や入室認証等が行われる際に、前もってそれら電子決済や入室認証等が行われつつある状態、つまり上記電子決済や入室認証等のために当該端末がカードリーダに近づきつつある状態を検知した場合に、ＨＤＤの磁気ヘッドを退避状態させて当該ＨＤＤを非動作状態にすることにより、端末がカードリーダに接触した時の衝撃からＨＤＤを保護する機能を有している。
【００２６】
図１には、ＨＤＤと非接触型ＩＣカード機能を備えた携帯電話端末１と、当該携帯電話端末１を非接触型ＩＣカード用の読み取り装置（カードリーダ１０）に近づけて電子決済や入室認証等を行う際の、第１の実施形態の携帯電話端末１とカードリーダ１０との間の関係を示している。また、図２には、上記非接触型ＩＣカード機能を有する携帯電話端末１を、上記カードリーダ１０の読み取り面１１に徐々に近づけている時の途中過程の状態における端末１とカードリーダ１０の読み取り面１１近傍を拡大して示している。さらに、図３には、携帯電話端末１の非接触型ＩＣカード機能と上記カードリーダ１０との間で情報通信が行われている時の状態における端末１とカードリーダ１０の読み取り面１１近傍を拡大して示している。
【００２７】
第１の実施形態の携帯電話端末１は、非接触型ＩＣカード機能用の構成として、ループ状のアンテナ、カードリーダとの間で信号の送受信を行うための送受信部、無線通信プロトコルの上位レイヤを実現するＭＰＵシステム、データ等を格納するための不揮発性メモリ等を有している。なお、上記送受信部は、上記ループ状アンテナの持つインダクタンス成分と合わせて１３．５６ＭＨｚの共振周波数を得るための同調回路、カードリーダから送られてくる搬送波のクロック抽出とＡＳＫ変調データの復調等を行う復調回路、カードリーダへ送信するＡＳＫ変調データの生成等を行う変調回路等を備えている。
【００２８】
一方、上記カードリーダ１０は、第１の実施形態の携帯電話端末１やその他の携帯端末等に搭載されている非接触型ＩＣカード機能との間で情報通信を行うためのアンテナや信号送受信部、及びその他の一般的な構成を備えている。そして、図１に示したカードリーダ１０において、上記アンテナが搭載されている筐体面は、上記携帯電話端末１等の非接触型ＩＣカード機能との間で非接触無線通信が行われる面（以下、読み取り面１１とする。）となされている。なお、本実施形態において、上記カードリーダ１０は、非接触型ＩＣカードと何時でも通信を行えるように、常に微弱な信号電波を発射している。
【００２９】
また、本実施形態の携帯電話端末１は、内蔵バッテリからの電力を非接触型ＩＣカード機能に供給しており、上記カードリーダ１０との間の距離が或る程度離れている場合であっても、当該カードリーダ１０から発射されている微弱な信号電波を、上記非接触型ＩＣカード機能により検知可能となされている。すなわち、本実施形態の携帯電話端末１は、上記カードリーダ１０から発射されている微弱な信号電波を、上記カードリーダ１０の読み取り面１１から少なくとも数十ｃｍ〜数ｍほど離れた場所からでも検知可能となされている。
【００３０】
また、本実施形態の携帯電話端末１は、上記検知した信号電波が上記カードリーダ１０から発射されたものであるかどうかについては、その信号電波の搬送周波数（この例では１３．５６ＭＨｚ）や当該信号電波の変調方式（この例ではＡＳＫ変調）を基にして判断可能となされている。すなわち、本実施形態の携帯電話端末１は、上記非接触型ＩＣカード機能により微弱な信号電波を検知した場合、その信号電波の搬送周波数が上記１３．５６ＭＨｚであるか、また、その信号電波の変調方式がＡＳＫ変調であるかを判定することにより、当該検知した信号電波が上記カードリーダ１０から発射されたものであるかどうかの判断を行う。
【００３１】
そして、本実施形態の携帯電話端末１は、図２に示すように、カードリーダ１０との間の距離が近くなり、当該カードリーダ１０からの微弱な信号電波を検知すると、当該カードリーダ１０との間で通信を行うための待機状態へ遷移し、その後、図２の状態からさらに図３に示すようにカードリーダ１０へ近づいて相互に信号の送受が可能な状態になると、上記カードリーダ１０との間で実際に信号の送受信を開始するようになされている。
【００３２】
ここで、上記携帯電話端末１が上記カードリーダ１０からの微弱な信号電波を検知した後、当該携帯電話端末１がカードリーダ１０と相互に信号の送受信を行える状態になるまでの時間、すなわち言い換えると、携帯電話端末１がカードリーダ１０の読み取り面１１に例えば接触することになるまでの時間は、ユーザが携帯電話端末１をカードリーダ１０の読み取り面１１へ近づける際の速さにもよるが、少なくとも数百ｍｓｅｃ以上はかかると考えられる。
【００３３】
そこで、本発明の第１の実施形態の携帯電話端末１は、上記カードリーダ１０からの微弱な信号電波を検知した時に、例えばＨＤＤが動作状態になっているような場合には、その後カードリーダ１０と相互に信号の送受信が行われる状態になる（つまり端末１がカードリーダ１０の読み取り面１１に例えば接触する）までの上記数百ｍｓｅｃ程度の時間内に、上記ＨＤＤの磁気ヘッドを退避させて当該ＨＤＤを非動作状態とするような制御を行う。また、本実施形態の携帯電話端末１は、上記カードリーダ１０からの微弱な信号電波を検知した時に、例えばＨＤＤが非動作状態である場合には、例えばユーザ等によりＨＤＤの動作を開始させるような指示が行われたとしても、直ぐにはＨＤＤを動作状態にしないようにする。
【００３４】
すなわち、ＨＤＤが動作状態である時に、携帯電話端末１がカードリーダ１０の読み取り面１１に接触すると、その接触時の衝撃によりＨＤＤが破損する虞があるため、本実施形態の携帯電話端末１は、上記カードリーダ１０からの微弱な信号電波を検知した時に、例えばＨＤＤが動作状態になっているような場合には直ちに（端末１が読み取り面１１に接触してしまう前に）ＨＤＤの磁気ヘッドを退避させて当該ＨＤＤを非動作状態にする制御を行い、また、例えばＨＤＤが非動作状態である場合にはその後直ぐにＨＤＤを動作させないように制御する。
【００３５】
これにより、本実施形態の携帯電話端末１によれば、例えば図２の状態を経て図３のように携帯電話端末１がカードリーダ１０の読み取り面１１に例えば接触することで衝撃等が発生したとしても、その時点でＨＤＤは既に非動作状態となされているため、上記発生した衝撃によりＨＤＤが破損するようなことは略々無くなる。なお、ＨＤＤを動作状態から非動作状態に遷移させるまでに要する時間は、ＨＤＤの機種にもよるが、概ね三十ｍｓ〜二百ｍｓ程度の短い時間であり、上記携帯電話端末１がカードリーダ１０からの微弱信号電波を検知してから実際に読み取り面１１に例えば接触するまでの時間（数百ｍｓｅｃ）よりも十分短い時間であるため、ＨＤＤの保護には十分であると考えられる。
【００３６】
また、本実施形態の携帯電話端末１は、例えばＨＤＤ動作中に上記カードリーダ１０からの微弱信号電波を検知したことで当該ＨＤＤを非動作状態にしたような場合には、その後、カードリーダ１０との間の通信が終了したか否か判定し、カードリーダ１０との間の通信が終了したと判定した後に、上記ＨＤＤの動作を復帰させる（言い換えると、カードリーダ１０との間の通信が続いている間はＨＤＤの動作を復帰させない）ことも可能となされている。同様に、ＨＤＤの非動作中に上記カードリーダ１０からの微弱信号電波を検知したことで直ぐにＨＤＤを動作状態にしないようにした場合にも、その後、カードリーダ１０との間の通信が終了した後に、ＨＤＤを動作可能な状態にすることも可能となされている。
【００３７】
すなわち、上述のようにカードリーダ１０からの微弱信号電波を検知することでＨＤＤを強制的に非動作状態にすると、例えば、上記ＨＤＤが非動作状態になる前に音楽の再生や録音、映像の再生や録画等が行われていた場合には、当該ＨＤＤの強制的な非動作状態への切り替えによりそれら音楽の再生，録音や映像の再生，録画等が途切れてしまう虞があり、また例えば、音楽の再生，録音や映像の再生，録画等を開始しようとしていた場合には、当該ＨＤＤの強制的な非動作状態への切り替えによりそれら音楽の再生，録音や映像の再生，録画等を開始出来なくなってしまうことになる。このため、本実施形態の携帯電話端末１では、上記ＨＤＤを強制的に非動作状態にした後、カードリーダ１０との間の通信が終了して、当該端末１とカードリーダ１０の読み取り面１１とを接触（衝突）させるような動作が確実に終わったと判断できるようになった後に、上記ＨＤＤを動作状態に戻す、若しくは動作可能な状態にすることにより、上述のような音楽の再生，録音や映像の再生，録画等の続行や開始をスムーズに行えるようにしている。
【００３８】
なお、上記ＨＤＤを強制的に非動作状態にした後、カードリーダ１０との間の通信が終了したと判定されるまでの間は、ＨＤＤに対するデータ読み書きを行えないことになるが、一般に、ＨＤＤのデータ読み書きを行う際には内蔵メモリ等がバッファとして用いられており、本実施形態の携帯電話端末１では、カードリーダ１０との間の通信が終了したと判定されるまでの間、そのバッファメモリのデータを上記音楽や映像用等のアプリケーションが使用することで、データの途切れ等の影響を略々無くすようにしている。
【００３９】
すなわち、本実施形態の携帯電話端末１によれば、非接触型ＩＣカード機能を使用するために自端末１をカードリーダ１０の読み取り面１１に近づけ始めた後、自端末１がカードリーダ１０の読み取り面１１に接触して衝撃が発生し、それ以後は新たに衝撃が発生する可能性が略々無くなった後に、上記ＨＤＤを動作可能に復帰させることにより、当該ＨＤＤが衝撃で破損することを防止しつつ、その後にＨＤＤの動作による所望の処理を実行可能としている。
【００４０】
〔カードリーダとの接触時の衝撃に対するＨＤＤ保護の第２の実施形態〕
次に、本発明の第２の実施形態について説明する。
【００４１】
本発明の第２の実施形態の携帯電話端末１は、前述の第１の実施形態と同様に、ＨＤＤと非接触型ＩＣカード機能を搭載している端末であり、上記非接触型ＩＣカード機能により電子決済や入室認証等が行われる際に、前もってそれら電子決済や入室認証等が行われつつある状態、つまり当該端末がカードリーダに近づきつつある状態を検知し、上記電子決済や入室認証等のために当該端末がカードリーダに近づきつつある状態を検知した場合に、ＨＤＤの磁気ヘッドを退避状態させて当該ＨＤＤを非動作状態にすることにより、端末がカードリーダに接触した時の衝撃からＨＤＤを保護する機能を有している。また、この第２の実施形態のカードリーダ１０は、前述の第１の実施形態と同様に、携帯電話端末１やその他の携帯端末等に搭載されている非接触型ＩＣカード機能との間で情報通信を行うためのアンテナや信号送受信部、及びその他の一般的な構成を備えており、上記アンテナが搭載されている筐体面は、携帯電話端末１等の非接触型ＩＣカード機能との間で非接触無線通信が行われる面（読み取り面１１）となされている。
【００４２】
ここで、図４には、第２の実施形態の携帯電話端末１を例えば水平にしている状態において、当該端末１の中心とその中心に対するｘ軸、ｙ軸、ｚ軸の３次元座標軸の関係を示している。
【００４３】
また、図５には、本実施形態の携帯電話端末１が図４の水平状態のまま静止している時のｘ軸、ｙ軸、ｚ軸方向にかかる加速度と時間の関係を示している。この図５からわかるように、携帯電話端末１が図４の水平状態のまま静止している場合、ｘ軸方向とｙ軸方向にかかる加速度は常に「０」となっており、ｚ軸方向にかかる加速度は常に「１Ｇ」（Ｇは重力加速度）となっている。
【００４４】
一方、図６には、本実施形態の携帯電話端末１が図４の水平状態のまま例えば自由落下した時のｘ軸、ｙ軸、ｚ軸方向にかかる加速度と時間の関係を示している。この図６からわかるように、携帯電話端末が図４の水平状態のまま自由落下した場合、ｘ軸方向とｙ軸方向にかかる加速度は常に「０」のまま変わらないのに対して、ｚ軸方向にかかる加速度は落下開始直前には重力加速度の「１Ｇ」であるが、その後直ぐに「０」になる。
【００４５】
次に、図７には、本実施形態の携帯電話端末１を例えば水平状態のまま斜め下方向へ移動（空間内を移動）させ、カードリーダ１０の読み取り面１１へ徐々に近づけていった場合の、当該端末１の中心とその中心に対するｘ軸、ｙ軸、ｚ軸の３次元座標軸、及び、カードリーダ１０の読み取り面１１の関係を、当該端末１とカードリーダ１０の読み取り面１１近傍を拡大して示している。
【００４６】
また、図８には、本実施形態の携帯電話端末１を図７のように水平状態のまま斜め下方向へ移動させた場合の上記ｘ軸、ｙ軸、ｚ軸方向にかかる加速度と時間の関係を示している。
【００４７】
ここで、本実施形態の携帯電話端末１を、図７のようにユーザが意図的にカードリーダ１０の読み取り面１１へ接触させようとして近づけるように移動させた場合、本発明の第２の実施形態の携帯電話端末１における上記ｘ軸、ｙ軸、ｚ軸方向の加速度の変化は、前記図６に示したような自由落下時の加速度変化のパターンとは異なるものとなり、理想的には図８に示すような特徴的な加速度変化のパターンになると考えられる。
【００４８】
すなわち、図７のように携帯電話端末１を移動させた場合、図８に示すように、ｚ軸方向の加速度変化は、当該端末１の斜め下方向への移動開始により、重力加速度の「１Ｇ」よりも僅かに低下し、次いで当該端末の斜め下方向の移動が続くことにより上記重力加速度の「１Ｇ」よりも僅かに低い加速度の値がしばらく続き、その後、カードリーダ１０の読み取り面１１へ近づいて当該端末１の移動速度が落とされると、上記重力加速度の「１Ｇ」へ戻るような変化となる。また、この場合のｘ軸方向の加速度変化は、携帯電話端末１が動き始めた時に水平方向への加速度が加わるが、当該端末の水平方向への移動が定速度になると加速度は「０」となり、その後、カードリーダ１０の読み取り面１１へ近づいて当該端末１の移動速度が落とされると、上記動き始めとは反対方向の加速度が加わり、最終的に当該端末１がカードリーダ１０の読み取り面１１に接触すると「０」になる。なお、ｙ軸方向の加速度は、携帯電話端末１が図７の水平方向を維持したままであれば「０」のまま変化しない。また、これら図７、図８の例では、携帯電話端末１を常に同じ速度で同じ方向へ近づけた場合の加速度変化を示しており、実際に携帯電話端末１をカードリーダ１０へ近づける際にはもう少し複雑な変化になるであろうが、基本的には上述したような特徴的な変化になる。
【００４９】
したがって、本発明の第２の実施形態の携帯電話端末１は、図７のように上記カードリーダ１０の読み取り面１１へ近づくような移動が開始されて上述の図８のような加速度変化の特徴的なパターンを検知した時に、例えばＨＤＤが動作状態になっているような場合には、その後カードリーダ１０の読み取り面１１に接触することになるまでの数百ｍｓｅｃ程度の時間内に、上記ＨＤＤの磁気ヘッドを退避させて当該ＨＤＤを非動作状態とするような制御を行う。また、当該第２の実施形態の携帯電話端末１は、上記図８のような加速度変化を検知した時に、例えばＨＤＤが非動作状態である場合には、例えばユーザ等によりＨＤＤの動作を開始させるような指示が行われたとしても、直ぐにはＨＤＤを動作状態にしないようにする。
【００５０】
これにより、第２の実施形態の携帯電話端末１によれば、携帯電話端末１がカードリーダ１０の読み取り面１１に例えば接触することで衝撃等が発生したとしても、その時点でＨＤＤは既に非動作状態となされているため、衝撃によりＨＤＤが破損するようなことは略々無くなる。なお、ユーザが携帯電話端末１をカードリーダ１０の読み取り面１１方向へ移動させ始めてから実際に読み取り面１１に例えば接触するまでの時間は数百ｍｓｅｃであるのに対して、ＨＤＤを動作状態から非動作状態に遷移させるまでに要する時間は概ね三十ｍｓ〜二百ｍｓ程度であるため、ＨＤＤの保護には十分である。
【００５１】
また、当該第２の実施形態においても、前述の第１の実施形態と同様に、携帯電話端末１は、例えばＨＤＤ動作中に上述した加速度変化の検知により当該ＨＤＤを非動作状態にしたような場合には、その後、カードリーダ１０との間で実際に通信が行われたと判定した後に、上記ＨＤＤの動作を復帰させることも可能となされている。同様に、ＨＤＤの非動作中に上述の加速度変化を検知したことで直ぐにＨＤＤを動作状態にしないようにした場合にも、その後、カードリーダ１０との間で実際に通信が行われたと判定した後に、ＨＤＤを動作可能な状態にすることも可能となされている。
【００５２】
なお、実使用環境においては、例えば歩行中など、携帯電話端末の使用状況によって様々な加速度が当該端末に加わると予想されるが、例えば歩行中の加速度は身体の上下運動等で常時変化することになるため、本実施形態のように略々一定速度で携帯電話端末を移動させてカードリーダ１０の読み取り面１１へ近づける際の動き（加速度変化）とは区別可能であると考えられる。また、その他の実使用環境として、例えば車や電車等の乗り物に乗車している場合、携帯電話端末の移動状態は、発車時に加速度がかかり、その後は定速度の移動となる。非接触型ＩＣカード機能を使用するために携帯電話端末１をカードリーダ１０に近づける場合も、前述の図８で説明したように、移動開始時に加速度がかかり、その後は短時間であるが定速度の移動が継続することになる。但し、携帯電話端末１をカードリーダ１０に近づける際の移動形態は、多くの場合、鞄等から携帯電話端末１を取り出してカードリーダ１０へ近づけるようなものとなり、その移動時間は例えば１秒以内（長くても２秒〜３秒以内）であろうと考えられる。したがって、本実施形態の携帯電話端末１は、例えば上記１秒（或いは２秒〜３秒）よりも長く定速度運動が継続するような時には、例えば車や電車等の乗り物に乗車している場合の移動であると判断し、例えばＨＤＤを退避させる制御を行ったような場合には当該ＨＤＤの動作を復帰させる等して、乗り物等での移動による影響を無くすようにする。
【００５３】
〔携帯電話端末の内部構成〕
次に、図９には、本発明の上述した第１，第２の実施形態の機能を実現可能な携帯電話端末の概略的な内部回路構成を示す。
【００５４】
図９において、データラインは、音声データや電子メールデータ、映像データなどの各種データを伝送するための伝送ラインである。制御ラインは、ＣＰＵ（中央処理ユニット）により構成されている制御部４０からの制御データなど、各種制御情報を伝送するための伝送ラインである。
【００５５】
アンテナ４２は、携帯電話網の基地局との間で信号電波の送受信を行うためのアンテナであり、通信回路４１に接続されている。通信回路４１は、送受信信号の周波数変換、変調と復調等を行う。
【００５６】
上記アンテナ４２及び通信回路４１にて受信された通話音声データは、音声処理部５２にて復号等の処理を受けた後、スピーカ５０へ送られ、それ以外の受信データは、制御部４０にて適切に処理された後、必要に応じて当該制御部４０から各部へ送られる。
【００５７】
音声処理部５２は、上記通信回路４１から通話音声の受信データが供給された時には、当該通話音声の受信データを復号化し、その復号化後の通話音声データをデータラインを介してスピーカ５０へ送る。
【００５８】
スピーカ５０は、端末本体に内蔵され、供給された通話音声データや着信音、再生音楽データ等をアナログ信号に変換し、そのアナログ音声信号を内部増幅器により増幅した後、その音声信号を可聴音声に変換して外部に出力する。
【００５９】
マイクロホン５１は、端末本体に内蔵され、入力音声をアナログ音声信号に変換すると共に内部増幅器により増幅し、さらにそのアナログ音声信号を音声処理部５２に送る。当該マイクロホン５１から通話音声信号が供給された音声処理部５２は、その通話音声信号をディジタル音声データに変換した後に符号化し、さらにその符号化後の通話音声データを通信回路４１へ送る。これにより、アンテナ４２からは通話音声データが送信されることになる。
【００６０】
表示部４３は、液晶ディスプレイ等とその液晶ディスプレイを駆動するためのディスプレイ駆動回路とからなる。ディスプレイ駆動回路は、画像処理部５３から供給された各種画面やテキスト、画像等の表示データに基づいて、上記液晶ディスプレイを駆動する。これにより、ディスプレイには、各種画面やテキスト、画像等が表示される。
【００６１】
画像処理部５３は、表示部４３に表示される画像やテキストの処理を行う。また、画像処理部５３は、図示しないカメラ部により撮像された静止画像や動画像のデータの圧縮符号化等を行い、その圧縮符号化された画像データを、制御部４０による制御の元で必要に応じて内蔵メモリに送り、記憶させる。
【００６２】
操作部４４は、本実施形態の携帯電話端末の筐体上に設けられているテンキー（キーボード）や電源ボタン、発話／終話ボタン等のキーデバイス（それらの図示は省略する。）と、ユーザによるキーデバイスの操作に応じた操作信号を発生する操作信号発生器とからなる。
【００６３】
ＨＤＤ部４７は、本実施形態の携帯電話端末に内蔵されたハードディスクドライブである。ＨＤＤ制御部４６は、上記ＨＤＤ部４７におけるプラッター（磁気記録回転ディスク）の回転制御、前述の動作状態及び非動作状態を含む磁気ヘッドの動作制御、上記磁気ヘッド及びプラッターによるデータの書き込みや読み出しの制御などを行う。
【００６４】
非接触型カード通信部５４は、前述した第１の実施形態で説明したような送受信部、ＭＰＵシステム、不揮発性メモリ等を有しており、非接触型カード通信用のループアンテナ５５を備えている。当該非接触型カード通信部５４は、電源管理部４８を通じて当該携帯電話端末のバッテリ４９から電力の供給を受けており、前述の第１の実施形態で説明したように、カードリーダ１０からの微弱信号電波の検知可能となされている。また当該非接触型カード通信部５４は、カードリーダ１０からの微弱信号電波を検知した時には、当該微弱信号電波の検知及びその信号電波の搬送周波数、その信号の変調方式などの情報を制御部４０へ送るようになされている。これにより、制御部４０は、カードリーダ１０からの微弱信号電波の検知結果に基づいて、前述した第１の実施形態で説明したようなＨＤＤの退避制御等が可能となる。
【００６５】
３軸加速度センサ５６は、本実施形態の携帯電話端末が動かされた際に、ｘ軸、ｙ軸、ｚ軸の３軸方向の加速度を計測し、その加速度計測データを制御部４０へ送る。これにより、制御部４０は、当該携帯電話端末がｘ軸、ｙ軸、ｚ軸の何れへどの程度の加速度で移動するのかを求めることができ、したがってその加速度の変化により、前述した第２の実施形態で説明したようなＨＤＤの退避制御等が可能となる。
【００６６】
バッテリ４９は例えば着脱可能な二次電池であり、電源管理部４８は上記バッテリ４９からの電力を各部へ供給する。特に本発明実施形態の携帯電話端末の場合、電源管理部４８は、制御部４０のよる制御のもと、上記非接触型カード通信部５４への動作電力の供給や停止等の管理も行っている。
【００６７】
メモリ部４５は、ＲＯＭ（Read Only Memory）とＲＡＭ（Random Access Memory）からなる。当該メモリ部４５のＲＯＭは、ＯＳ（Operating System）、制御部４０が各部を制御するための制御プログラムコード、各種の初期設定値、フォントデータ、辞書データ、各種音データ、本実施形態にかかるＨＤＤ保護のための制御アルゴリズムを実行するためのアプリケーションプログラムコード、その他の一般的な携帯電話端末が備える各種のアプリケーションプログラムコード、当該端末のＩＤなどを記憶している。また、当該メモリ部４５のＲＯＭは、ＮＡＮＤ型フラッシュメモリ（NAND-type flash memory）或いはＥＥＰＲＯＭ（Electrically Erasable Programmable Read-Only Memory）のような書き換え可能なＲＯＭを含み、電子メールデータ、電話帳（アドレス帳も含む）データ等の一般的な携帯電話端末が扱う各種のデータを保存することも可能となされている。ＲＡＭは、制御部４０が各種のデータ処理を行う際の作業領域として、随時データを格納する。
【００６８】
制御部４０は、ＣＰＵからなり、メモリ部４５に記憶されているＯＳや各種プログラムに基づいて、当該端末の様々な制御を行う。特に、本発明実施形態の場合、制御部４０は、上記メモリ部４５に記憶されている上記ＨＤＤ保護のための制御アプリケーションプログラムを実行することにより、上記非接触型カード通信部５４がカードリーダ１０からの微弱信号電波を検知した時や、３軸加速度センサ５６の加速度計測データを基に当該端末１がカードリーダ１０の読み取り面へ接近し始めたことを検知した時に、前述したようなＨＤＤの保護のための制御処理を実現する。
【００６９】
その他、図９には図示を省略しているが、本実施形態の携帯電話端末は、カメラ機能、ＧＰＳ（Global Positioning System）機能、近距離無線通信機能など、一般的な携帯電話端末が備えている各構成要素についても備えている。なお、それら一般的な携帯電話端末が備えている回路構成やその他の構成の説明については省略する。
【００７０】
〔第１の実施形態でＨＤＤ保護するための制御アルゴリズム〕
図１０には、前述の第１の実施形態におけるＨＤＤ保護のための制御アルゴリズムのフローチャートを示す。
【００７１】
この図１０のフローチャートは、上記ＨＤＤ保護のための制御アプリケーションプログラムを携帯電話端末１の制御部４０が実行し、非接触型カード通信部５４がカードリーダ１０の微弱信号電波を検知した時に行う処理の流れを示している。
【００７２】
図１０において、制御部４０は、ステップＳ１の処理として、前記ＨＤＤ部４７を使用するアプリケーションプログラムが動作しているか否かを常に監視している。そして、制御部４０は、ＨＤＤ部４７を使用するアプリケーションプログラムが動作しているとステップＳ１にて判定している時には、次のステップＳ２の判定処理を行う。
【００７３】
ステップＳ２の処理に進むと、制御部４０は、非接触型カード通信部５４からの信号を監視することで、カードリーダ１０からの微弱信号電波の検知がなされたか否か、つまり、自端末１がカードリーダ１０へ近づきつつあるのか否かを判定する。そして、制御部４０は、非接触型カード通信部５４がカードリーダ１０からの微弱信号電波を検知したと判定した時には、ステップＳ３へ処理を進め、一方、非接触型カード通信部５４がカードリーダ１０の微弱信号電波を検知していないと判定している時には、ステップＳ１へ処理を戻す。
【００７４】
上記ステップＳ２において非接触型カード通信部５４がカードリーダ１０からの微弱信号電波を検知したと判定してステップＳ３の処理に進んだ場合、制御部４０は、ＨＤＤ制御部４６を通じて、ＨＤＤ部４７が現在動作中であるか否かを判定する。そして、ＨＤＤ部４７が現在動作中である（動作状態である）と判定した時にはステップＳ４へ処理を進め、一方、ＨＤＤ部４７が動作中でない（非動作状態である）と判定した時にはステップＳ５へ処理を進める。
【００７５】
ステップＳ４の処理に進むと、制御部４０は、ＨＤＤ制御部４６を通じてＨＤＤ部４７の磁気ヘッドを退避させて当該ＨＤＤ部４７を非動作状態に遷移させた後、ステップＳ５へ処理を進める。
【００７６】
ステップＳ５の処理に進むと、制御部４０は、非接触型カード通信部５４がカードリーダ１０からの信号電波を検知しているか否か判定する。そして、制御部４０は、非接触型カード通信部５４がカードリーダ１０からの信号電波を検知している間は当該ステップＳ５の判定処理を繰り返し、非接触型カード通信部５４がカードリーダ１０からの信号電波を検知できなくなった場合にはステップＳ６へ処理を進める。
【００７７】
ステップＳ６の処理に進むと、制御部４０は、必要に応じてＨＤＤ部４７を動作状態に戻す。すなわち、ステップＳ３にてＨＤＤ部４７が動作状態であり、ステップＳ４にてＨＤＤ部４７が非動作状態になされた場合、制御部４０は、上記ステップＳ５で非接触型カード通信部５４がカードリーダ１０からの信号電波を検知できなくなった時にＨＤＤ部４７の動作状態を復帰させる。また、ステップＳ３にてＨＤＤ部４７が非動作状態となっていたが、その後ＨＤＤ部４７を動作させる必要がある場合、制御部４０は、上記ステップＳ５で非接触型カード通信部５４がカードリーダ１０からの信号電波を検知できなくなった時にＨＤＤ部４７を動作状態とする。なお当然のことであるが、ステップＳ３にてＨＤＤ部４７が非動作状態となっており、その後もＨＤＤ部４７を動作させる必要がない場合には、制御部４０は、ＨＤＤ部４７の非動作状態を維持する。そして、このステップＳ６の処理後、制御部４０は、処理をステップＳ１へ戻す。
【００７８】
〔第２の実施形態でＨＤＤ保護するための制御アルゴリズム〕
図１１には、前述の第２の実施形態におけるＨＤＤ保護のための制御アルゴリズムのフローチャートを示す。
【００７９】
この図１１のフローチャートは、上記ＨＤＤ保護のための制御アプリケーションプログラムを携帯電話端末１の制御部４０が実行し、３軸加速度センサ５６からの加速度測定データに基づいて、非接触型ＩＣカード機能の使用のために自端末１がカードリーダ１０へ近づきつつあることを制御部４０が検知した時に行う処理の流れを示している。
【００８０】
図１１において、制御部４０は、ステップＳ１１の処理として、前記ＨＤＤ部４７を使用するアプリケーションプログラムが動作しているか否かを常に監視している。そして、制御部４０は、ＨＤＤ部４７を使用するアプリケーションプログラムが動作しているとステップＳ１１にて判定している時には、次のステップＳ２の判定処理を行う。
【００８１】
ステップＳ１２の処理に進むと、制御部４０は、３軸加速度センサ５６からの加速度測定データを監視することにより、自端末１がカードリーダ１０へ近づけられる際の加速度変化が検知され且つ自端末１が定速度移動を行っているか否か（つまり前述の特徴的な加速度変化のパターンであるか）を判定する。そして、制御部４０は、自端末１がカードリーダ１０へ近づけられる際の加速度変化が検知され且つ自端末１が定速度移動を行っていることが検出された場合にはステップＳ１３へ処理を進め、一方、それら加速度変化若しくは定速度移動の何れか一方でも検知されなかった場合には、ステップＳ１１へ処理を戻す。
【００８２】
上記ステップＳ１２において、自端末１がカードリーダ１０へ近づけられる際の加速度変化と定速度移動の検知がなされてステップＳ１３の処理に進んだ場合、制御部４０は、ＨＤＤ制御部４６を通じて、ＨＤＤ部４７が現在動作中であるか否かを判定する。そして、ＨＤＤ部４７が現在動作中である（動作状態である）と判定した時にはステップＳ１４へ処理を進め、一方、ＨＤＤ部４７が動作中でない（非動作状態である）と判定した時にはステップＳ１５へ処理を進める。
【００８３】
ステップＳ１４の処理に進むと、制御部４０は、ＨＤＤ制御部４６を通じてＨＤＤ部４７の磁気ヘッドを退避させて当該ＨＤＤ部４７を非動作状態に遷移させた後、ステップＳ１５へ処理を進める。
【００８４】
ステップＳ１５の処理に進むと、制御部４０は、非接触型カード通信部５４がカードリーダ１０からの信号電波を検知しているか否か判定する。そして、制御部４０は、非接触型カード通信部５４がカードリーダ１０からの信号電波を検知している間は当該ステップＳ１５の判定処理を繰り返し、非接触型カード通信部５４がカードリーダ１０からの信号電波を検知できなくなった場合にはステップＳ１６へ処理を進める。
【００８５】
ステップＳ１６の処理に進むと、制御部４０は、非接触型カード通信部５４とカードリーダ１０との間の通信が終了したか否か判定し、終了したと判定した場合にはステップＳ１８へ処理を進め、一方、未だ終了していないと判定している時にはステップＳ１７へ処理を進める。
【００８６】
ステップＳ１７の処理に進んだ場合、制御部４０は、ステップＳ１２にて自端末１がカードリーダ１０へ近づけられる移動の開始が検知された後、定速度状態になってから一定時間が経過したか否か判定する。すなわちこのステップＳ１７では、自端末１の移動が、前述した車や電車等の乗り物による移動によるものであるか否かの判定を行う。そして、制御部４０は、定速度状態になってから一定時間が経過する前であると判定している間はステップＳ１５へ処理を戻し、一定時間が経過したと判定した場合にはステップＳ１８へ処理を進める。
【００８７】
ステップＳ１８の処理に進むと、制御部４０は、必要に応じてＨＤＤ部４７を動作状態に戻す。すなわち、ステップＳ１３にてＨＤＤ部４７が動作状態であり、ステップＳ１４にてＨＤＤ部４７が非動作状態になされた場合、制御部４０は、上記ステップＳ１５でカードリーダ１０との間通信が終了するか若しくはステップＳ１７にて一定時間が経過したと判定された時に、ＨＤＤ部４７の動作状態を復帰させる。また、ステップＳ１３にてＨＤＤ部４７が非動作状態となっていたが、その後ＨＤＤ部４７を動作させる必要がある場合、制御部４０は、上記ステップＳ１５でカードリーダ１０との間通信が終了するか若しくはステップＳ１７にて一定時間が経過したと判定された時に、ＨＤＤ部４７を動作状態とする。なお当然のことであるが、ステップＳ１３にてＨＤＤ部４７が非動作状態となっており、その後もＨＤＤ部４７を動作させる必要がない場合には、制御部４０は、ＨＤＤ部４７の非動作状態を維持する。そして、このステップＳ１８の処理後、制御部４０は、処理をステップＳ１１へ戻す。
【００８８】
〔まとめ〕
以上説明したように、本発明の第１，第２の実施形態の携帯電話端末１によれば、カードリーダ１０からの微弱信号電波の検知、若しくは、自端末１をカードリーダ１０の読み取り面へ近づける際の加速度測定データに基づいて、内蔵ＨＤＤの磁気ヘッドを退避させて当該ＨＤＤの動作を停止させるようになされているため、非接触型ＩＣカード機能を利用しようとして携帯電話端末１をカードリーダ１０の読み取り面に接触させる際の衝撃から、内蔵ＨＤＤを有効に保護することが可能となっている。したがって、本発明の各実施形態によれば、ユーザは、内蔵ＨＤＤを備えた携帯電話端末の非接触型ＩＣカード機能を安心して使用することが可能となる。また、本発明の各実施形態によれば、ＨＤＤを衝撃から保護することができるため、当該ＨＤＤを包む衝撃吸収材料等を、より薄くすることが可能となり、その分だけ当該端末自体を小型化することが可能となる。
【００８９】
特に本発明の第１の実施形態によれば、磁気よりも遙かに遠くまで到達する信号電波を検知するようになされているため、カードリーダ１０からの磁気を検出する方式よりも迅速にＨＤＤを退避させることが可能であり、また、キャリア周波数や変調方式を見ることで、カードリーダ１０からの信号電波であることを特定するようになされているため、磁気検出方式で発生するような誤検出が略々無くなり、的確且つ確実にＨＤＤを保護することが可能となる。
【００９０】
また、本発明の第２の実施形態によれば、自端末１をカードリーダ１０へ近づける際の特定の加速度変化や定速度運動に基づいてＨＤＤの保護を行うようにしているため、例えば自由落下を検知する方式とは異なり、カードリーダ１０の読み取り面１１との接触による特定の衝撃から確実にＨＤＤを保護することが可能である。
【００９１】
その他、本実施形態では、非接触型ＩＣカード機能が携帯電話端末１に内蔵されているため、当該非接触型ＩＣカードの動作電力を当該端末１から得ることができ、したがって、非接触型ＩＣカードを常に信号受信可能な状態にしておくことができる。一方、本実施形態では、非接触型ＩＣカードを常に信号受信可能な状態にしておくようにしているが、例えばＨＤＤが動作していない時（非動作時）にように、ＨＤＤの磁気ヘッドを退避させるようなＨＤＤ保護動作が不要な状況にある時には、上記非接触型ＩＣカードに対して電力を供給しないようにして省電力化を図るようにしても良い。
【００９２】
なお、上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００９３】
例えば、本発明の携帯端末は、前述した第１又は第２の実施形態で説明したＨＤＤ保護機能の両方を備えていても良い。
【００９４】
また、本発明実施形態の携帯電話端末は、前述したようなＨＤＤを内蔵した端末だけでなく、例えば小型の外部ＨＤＤを着脱可能なスロットを備えた端末であっても良く、当該スロットに外部ＨＤＤが装填されている時に、そのＨＤＤを前述同様にして衝撃から保護するようにしても良い。
【００９５】
その他、本発明の携帯端末は、携帯電話端末に限定されず、例えばＨＤＤを搭載した音楽プレーヤーやデジタルテレビジョン受信・録画装置、ＰＤＡ等にも適用可能である。
【図面の簡単な説明】
【００９６】
【図１】ＨＤＤと非接触型ＩＣカード機能を備えた携帯電話端末と、その携帯電話端末をカードリーダに近づけて電子決済や入室認証等を行う際の、第１の実施形態における携帯電話端末とカードリーダの関係説明に用いる図である。
【図２】第１の実施形態の携帯電話端末をカードリーダの読み取り面に徐々に近づけている時の途中過程の状態における端末とカードリーダの読み取り面近傍を拡大して示す図である。
【図３】携帯電話端末の非接触型ＩＣカード機能とカードリーダとの間で情報通信が行われている時の状態における端末とカードリーダの読み取り面近傍を拡大して示す図である。
【図４】第２の実施形態の携帯電話端末を例えば水平にしている状態で、その端末の中心とその中心に対するｘ軸、ｙ軸、ｚ軸の３次元座標軸の関係を示す図である。
【図５】第２の実施形態の携帯電話端末が水平状態のまま静止している時のｘ軸、ｙ軸、ｚ軸方向にかかる加速度と時間の関係を示す図である。
【図６】第２の実施形態の携帯電話端末が水平状態のまま例えば自由落下した時のｘ軸、ｙ軸、ｚ軸方向にかかる加速度と時間の関係を示す図である。
【図７】第２の実施形態の携帯電話端末を水平状態のまま斜め下方向へ移動させてカードリーダへ近づけた場合の、端末の中心と３次元座標軸及びカードリーダとの関係を説明するための、端末とカードリーダの読み取り面近傍の拡大図である。
【図８】第２の実施形態の携帯電話端末を水平状態のまま斜め下方向へ移動させた場合のｘ軸、ｙ軸、ｚ軸方向にかかる加速度と時間の関係を示す図である。
【図９】本発明の第１，第２の実施形態の携帯電話端末の主要部の概略的内部構成を示すブロック図である。
【図１０】本発明の第１の実施形態におけるＨＤＤ保護のための制御アルゴリズムを示すフローチャートである。
【図１１】本発明の第２の実施形態におけるＨＤＤ保護のための制御アルゴリズムを示すフローチャートである。
【符号の説明】
【００９７】
１  携帯電話端末、１０  カードリーダ、１１  読み取り面、４０  制御部、４１  通信回路、４２  通信用アンテナ、４３  表示部、４４  操作部、４５  メモリ部、４６  ＨＤＤ制御部、４７  ＨＤＤ部、４８  電源管理部、４９  バッテリ、５０  スピーカ、５１  マイクロホン、５２  音声処理部、５３  画像処理部、５４  非接触型カード通信部、５５  非接触型カードのループアンテナ、５６  ３軸加速度センサ
【図１】
2008090581.tif 000003
【図２】
2008090581.tif 000004
【図３】
2008090581.tif 000005
【図４】
2008090581.tif 000006
【図５】
2008090581.tif 000007
【図６】
2008090581.tif 000008
【図７】
2008090581.tif 000009
【図８】
2008090581.tif 000010
【図９】
2008090581.tif 000011
【図１０】
2008090581.tif 000012
【図１１】
2008090581.tif 000013